(57)【要約】    【課題】  体型の個人差が調整されて美しくシェイプアップされたボディラインが維持でき、しかも快適な装着感の得られるガードルを提供する。    【解決手段】  ショーツ状の本体部と、この本体部の下に連なり使用者の両大腿部を囲む筒状をなすレッグ部とを具え、前記本体部と、レッグ部の境界部かつ少なくとも後身頃に、着用に伴う前記境界部の引張りに対する伸びを減じる小巾の高強度のズレ防止用の補強部を形成し、かつ前記レッグ部の前身頃に、下端からのびる切れ目を設けるとともに、着用者の大腿部の寸法に合わせて該レッグ部の内径を調節して切れ目を継ぐ連結手段を設けたことを特徴とする。【選択図】  図１
2007023407.tif 000002
【特許請求の範囲】
【請求項１】
ショーツ状の本体部と、この本体部の下に連なり使用者の両大腿部を囲む筒状をなすレッグ部とを具え、  前記本体部と、レッグ部の境界部かつ少なくとも後身頃に、着用に伴う前記境界部の引張りに対する伸びを減じる小巾の高強度のズレ防止用の補強部を形成し、
かつ前記レッグ部の前身頃に、下端からのびる切れ目を設けるとともに、着用者の大腿部の寸法に合わせて該レッグ部の内径を調節して切れ目を継ぐ連結手段を設けたことを特徴とするガードル。
【請求項２】
前記連結手段は、小ループを多数設けた雌面材と小フックを多数設けた雄面材とが、圧着されて着脱可能に係合する面ファスナーであることを特徴とする請求項１記載のガードル。
【請求項３】
前記面ファスナーは、一方の面材がレッグ部の股側から脇側に向けてのびる端縁部に外向きに設けられ、かつ他方の面材が脇側から内に向けてのびる端縁部に内向きに設けられることを特徴とする請求項２記載のガードル。
【請求項４】
前記面ファスナーは、正面方向から脇側に向かう９０度の範囲に配置されることを特徴とする請求項２又は３記載のガードル。
【請求項５】
後身頃において使用者の臀溝に沿う領域に形成される補強部に連続して、前身頃において使用者の鼠蹊溝に沿ってのび、かつ前記補強部よりも補強程度が小さい前の補強部を有することを特徴とする請求項１〜４のいずれかに記載のガードル。
【請求項６】
前記レッグ部は、前身頃において本体部との間に間隙を設けて配され、前記間隙はレース地により覆われることを特徴とする請求項１〜５のいずれかに記載のガードル。
【発明の詳細な説明】
【技術分野】
【０００１】
本発明は、シェイプアップされた美しいプロポーションを維持できるとともに、装着感に優れたガードルに関する。
【背景技術】
【０００２】
ガードルは、腹部から腰部へかけての体型を整えるために装着されるもので、伸縮性のある素材が用いられ、ある程度の寸法調整機能を備えるため、Ｓ、Ｍ、Ｌなど複数種類のサイズが品揃えされている。しかし前記伸縮性だけでは調整に限界があり、例えば、腰まわりは標準でも太腿が特に細いなど、体型にはバラツキが大きく、従って適合するサイズを選んだとしても、フィットしないことが多い。このような場合、使用者が体を動かす際に位置ズレを生じ易く、ガードルのシェイプアップ機能が損なわれて、保たれていたボディラインが崩れてしまう。またこのような時には、前記位置ズレにより局部的な圧迫を生じて装着感を低下させることが多い。
【０００３】
そこで、図１１に示すように、前身頃ａと、後身頃ｂの両側縁を縫着することなく、双方の重なり部を、面ファスナーｄを用いて着脱自在に係合できるように構成し、前記重なり代の巾を加減することにより体型に合わせて大きさを任意に調整することが提案されている（例えば、特許文献１参照）。
【０００４】
【特許文献１】特開２００２−２０１５１３号公報
【発明の開示】
【発明が解決しようとする課題】
【０００５】
しかしながら、胴を細く見せるために、胸から腰にかけて全体を強く締め付けるコルセットとは異なり、ガードルは、腹部から腰部のたるみを理想に近い位置に補正してキープすることにより端麗なプロポーションを演出するものである。従ってガードルは、ポイントとなる箇所を適度に締めつけることにより美しいウェストラインを作る事が重要であり、前記上下に亘って分離された前身頃ａ及び後身頃ｂを、使用者自身が引っ張って連結する場合、要所を必要な力で締め上げることは難かしく、コルセットのように全体を締め上げてしまう結果、かえって前記たるみが強調されて、プロポーションを崩すことにもなり兼ねない。
【０００６】
また、前身頃ａ及び後身頃ｂを引っ張って連結した場合、直立状態ではその姿勢が維持されるが、使用者が着座したり、逆に立上るなど腰部を大きく変化させる折には、位置ズレを生じるとともに、腰部から大腿部全体が一律に締め上げられるため動作が圧迫されて、動き難くなるという問題がある。
【０００７】
本発明は、レッグ部の内径を調節して切れ目を継ぐ連結手段を設けることを基本とし、体型の個人差が調整されて美しくシェイプアップされたボディラインを維持でき、しかも快適な装着感の得られるガードルの提供を課題としている。
【課題を解決するための手段】
【０００８】
前記目的を達成するために、請求項１に係る発明では、ショーツ状の本体部と、この本体部の下に連なり使用者の両大腿部を囲む筒状をなすレッグ部とを具え、前記本体部と、レッグ部の境界部かつ少なくとも後身頃に、着用に伴う前記境界部の引張りに対する伸びを減じる小巾の高強度のズレ防止用の補強部を形成し、かつ前記レッグ部の前身頃に、下端からのびる切れ目を設けるとともに、着用者の大腿部の寸法に合わせて該レッグ部の内径を調節して切れ目を継ぐ連結手段を設けたことを特徴とする。
【０００９】
請求項２に係る発明において、前記連結手段は、小ループを多数設けた雌面材と小フックを多数設けた雄面材とが、圧着されて着脱可能に係合する面ファスナーであり、また請求項３に係る発明の面ファスナーは、一方の面材がレッグ部の股側から脇側に向けてのびる端縁部に外向きに設けられ、かつ他方の面材が脇側から内に向けてのびる端縁部に内向きに設けられ、さらに請求項４に係る発明の面ファスナーは、正面方向から脇側に向かう９０度の範囲に配置されることを特徴とする。
【００１０】
請求項５に係る発明では、後身頃において使用者の臀溝に沿う領域に形成される補強部に連続して、前身頃において使用者の鼠蹊溝に沿ってのび、かつ前記補強部よりも補強程度が小さい前の補強部を有し、また請求項６に係る発明においては、前記レッグ部は、前身頃において本体部との間に間隙を設けて配され、前記間隙はレース地により覆われることを特徴とする。
【発明の効果】
【００１１】
請求項１に係る発明は、レッグ部の内径を、使用者の大腿部の寸法に合わせて調整する連結手段を設けたため、体型の個人差に拘わらず、本体部とレッグ部との境界部の補強部に掛かる引張り力を最適な強さに加減することができる。その結果、着座する時、逆に立上る時などに、本体部の後身頃の下部が強く引張られても、本体部が位置ズレすることなく、臀部を所定の位置で覆うことができるため、美しいヒップラインを保ちながらシェイプアップされたボディラインを形成して、端麗なプロポーションを維持できる。同時に補強部の位置ズレによる局部的な圧迫を生じることがなく、快適な装着感を維持できる。
【００１２】
請求項２に係る発明では、面ファスナーにより、大腿部の太さの微妙な違いに合わせてレッグ部の内径を調整できるため、あらゆる体型に対して、最適な寸法に調整できる。しかも、同じ使用者であっても、日々少しずつ増減する体重に追従してレッグ部の太さを調整できるため、毎日の状態に応じて最適にフィットした装着感が得られる。
【００１３】
請求項３に係る発明のように、レッグ部の股側から脇側に向けてのびる端縁部の外向きと、脇側から内に向けてのびる端縁部の内向きとに、面ファスナーを構成する二種類の面材を各々設けると、大腿部の太さを調整しつつレッグ部の切れ目の連結し、或いはこれを外す際に、自然な手の動作によって、力を入れることなく、しかも締め付け具合の微妙な調整を容易に行ないながら操作できる。また請求項４に係る発明のように、前記面ファスナーを、使用者の正面方向から脇側に向かう９０度の範囲に配置すると、前記レッグ部の切れ目を連結操作が一層楽に行なえる。
【００１４】
請求項５に係る発明のように、臀溝に沿って形成される補強部に連続し、鼠蹊溝に沿ってのびる補強程度が小さな前の補強部を設けると、後身頃の補強部と前身頃の前の補強部とが協働して、本体部のズレを有効に防止する。しかも前の補強部は、補強程度が小さいため、鼠蹊溝が強く圧迫されることがなく、快適な装着感が得られる。また請求項６に係る発明のように、レッグ部の前身頃に、レース地に覆われた間隙を形成すると、脚の上げ下げ動作が楽に行なえるなど自由性を高めて、圧迫感の少ない優れた装着性が得られる。
【発明を実施するための最良の形態】
【００１５】
以下、本発明の実施の一形態を、図示例とともに説明する。図１に示すように、ガードル１は、本体部２と、この本体部２の下に連なるレッグ部５と、ズレを防止するための補強部６と、連結手段８とを具える。
【００１６】
前記本体部２は、腰部乃至臀部に装着されるための略筒状をなし、上端部に胴回り部２１を有するとともに下端部に一対の脚開口部２２を有し、ショーツ状に形成される。本体部２は、全体的に伸縮性を有するが、例えば図１に示すように、柔らかく接しつつ腹部を押圧してシルエットを矯正する菱形の腹補正部２３が、前身頃の中央上部に配置されるなど、ヒップアップして美しいボディラインを形成するための補正部が適宜配置される。また前記胴回り部２１には、ゴム帯が縫着され、或いは弾性に富む生地で一体に形成された腰支持部２４が形成される。
【００１７】
前記レッグ部５は、使用者３の左右の大腿部４、４を囲む筒状をなし、前記本体部２の脚開口部２２の下に連続して形成される。また前記筒状のレッグ部５は、前身頃に下端から上にのびる切れ目７を有する。本形態の切れ目７には、左右のレッグ部５において、内股側から脇側へ向けのびる内の縁部２５Ｕと、この内の縁部２５Ｕの外側を覆って、脇側から内股へ向けのびる外の縁部２５Ｓとが重なる重ね部２６が形成される。
【００１８】
前記本体部２及びレッグ部５は各々ナイロン、ポリウレタン、ポリエステル、綿及びこれらの混紡生地が用いられる。尚本形態のレッグ部５には、その下端縁及び前記外の縁部２５Ｕに、５〜２０ｍｍ程度の同じ巾で連続するレースを用いた縁飾り２７が設けられる。
【００１９】
前記補強部６は、前記本体部２の下端縁で小巾な帯状をなし、レッグ部５との境界に配置されることにより、使用者３の姿勢変化による本体部２の位置ズレを防止している。この補強部６は、前記本体部２及びレッグ部５よりも、引張りに対する伸びが小さく、引張り強度が、本体部２及びレッグ部５の普通の部位に比べて、例えば１．５〜５．０程度、好ましくは２．５〜４．０程度に形成される。１．５未満では、引張りに対する強度不足から、前記位置ズレを生じる可能性があり、逆に５．０を超えると、使用者３に対し紐状の食い込みを生じるなど、履き心地を低下させる。
【００２０】
前記補強部６は、使用者３の本体部２の臀部へのズレを有効に防止するため、少なくとも後身頃に形成される。しかし本形態では、図３、６に示すように、使用者３の臀溝に沿う領域に形成された後の補強部６Ｂに連続して、前身頃で使用者３の鼠蹊溝に沿ってのびる前の補強部６Ｆが形成されている。この前の補強部６Ｆは、後の補強部６Ｂに比べて補強程度が、例えば０．３〜０．７程度に小さく形成される。
【００２１】
また補強部６の巾は、例えば、３．０〜２０．０ｍｍ程度、好ましくは５．０〜１０．０ｍｍ程度が望ましい。３．０ｍｍ未満では、使用者３への食い込みが生じて、履き心地を損ね、逆に２０．０ｍｍを超えると、位置ズレ防止効果が低下する傾向がある。
【００２２】
前記補強部６は、例えば本体部２の下端縁を、前記の巾で、二重、或いは三重に折り返すとともに一体に縫い合わせて形成することができ、或いは前記下端縁に高弾性の帯材を縫着して構成することもできる。また本体部２とレッグ部５との境界領域を細巾帯状に厚く紡織して高強度に形成することも良い。
【００２３】
前記連結手段８は、前記重ね部２６において、内の縁部２５Ｕと外の縁部２５Ｓとを相対位置調整可能に連結するものである。本形態では、内の縁部２５Ｕの外面に取り付けられ、かつ小ループを多数設けた雌面材９Ａと、外の縁部２５Ｓの内面に取り付けられ、かつ小フックを多数設けた雄面材９Ｂとからなる面ファスナー１０が用いられ、相互に圧着することにより着脱可能に係合することにより、前記レッグ部５の切れ目７を連結できる。
【００２４】
前記連結の際、外の縁部２５Ｓを引っ張る力を加減することにより、連結されて筒状となるレッグ部５の内径が、使用者３の大腿部４の寸法に合わせて調整でき、体型の違いを吸収してピッタリの大きさで着用できる。またその結果、前記補強部６は、適度なテンションが掛かって澱溝部、鼠蹊溝に密着するため、使用者が着座する時、或いは立上る際、本体部の後身頃の下部が強く引張られるが、後の補強部６Ｂが澱溝に確りと支持されて、本体部２の位置ズレを防止できる。このように本体部２が臀部を覆ってシェイプアップされたヒップラインを保つことにより美しいボディラインが形成され、端麗なプロポーションを維持できる。更には、補強部６が位置ズレして局部的な圧迫を生じることがなくなり、快適な装着感が得られる。
【００２５】
しかも前記の如く、本形態では、連結手段８として面ファスナー１０を用いているため、図４に示すように、大腿部４の太さが微妙に異なる場合にも、その太さに合わせてレッグ部５の内径を調整できる。更には、日々異なる体重の微妙な増減にも追従でき、最適にフィットした装着感が得られる。その結果、使用者３の動作に伴い生じ易い本体部２のズレを、補強部６によって確実に阻止でき、ヒップラインなどのプロポーションを保つことができる。
【００２６】
本形態では、図１に示すように、外の縁部２５Ｓを脇側から内股側へ向けて引っ張ると同時に、その内面の雄面材９Ｂを、内の縁部２５Ｕの外面に取り付けらた雌面材９Ａの上に押圧して面ファスナー１０を係合させるため、自然な手の動作によって、力を入れることなく、しかも締め付け具合の微妙な調整を容易に行ないながら操作できる。また面ファスナー１０を外す際にも、外の縁部２５Ｓを内股側から脇側へ向けて引き剥がすことにより、簡単に取り扱いできる。
【００２７】
また本形態の面ファスナー１０は、図５に示すように、使用者３の正面方向から脇側に向かう９０度の領域Ａに配置される。従って、補強部６に掛かる引張力を調整しつつ前記の面ファスナー１０を連結する操作及び、これを剥がす操作を、使用者３が最も腕を動かし易い範囲で行なえるため、自然で楽な姿勢によって、しかも簡単に脱ぎ履きが出来る。  
【００２８】
なお本形態では前記の如く、外の縁部２５Ｓを脇側から内股側へ向けて引っ張って面ファスナー１０を係合させる。従ってその力を後の補強部６Ｂが有効に受けて、ズレ防止が有効に機能するため、図６に示すように、前記後の補強部６Ｂは、脇側において、使用者の真横を始点として、澱溝に沿って後身頃側をのびる。他方内股側は、ズレ防止効果が比較的小さい上、内股部に強い圧力が加わると履き心地を損ねるため、前記後の補強部６Ｂは、内股へ真直ぐ向かう方向（使用者の左右の真横を結ぶ方向）から角度α後側へ傾いた位置で終端する。尚前記角度αは、例えば、１０〜３０度程度、好ましくは１５〜２５度が望ましい。１０度未満では、内股部を圧迫して、使用者に不快感を与え、逆に３０度を超えると、後の補強部６Ｂによるズレ防止効果が低減する。そして、この範囲で連続する後の補強部６Ｂと前の補強部６Ｆとが協働して、本体部２のズレを有効に防止することができ、しかも補強のレベルの小さな前の補強部６Ｆは柔らかく作用するため、鼠蹊溝を圧迫することがなく、ソフトな履き心地が得られる。
【００２９】
図７、８は他の実施形態を例示している。以下異なる内容について説明し、それ以外は図中に表れた主要構成に同じ符号を付すだけとする。本形態では、前記補強部６は、後身頃にのみ設け、鼠蹊溝に沿って配されることにより位置ズレを効果的に防止している。また、前記面ファスナー１０は、内の縁部２５Ｕには上下に連続する雌面材９Ａが取り付けられ、他方外の縁部２５Ｓには上下に間隔を隔てて独立した３個の雄面材９Ｂが設けられる。このように、外の縁部２５Ｓに、独立した複数個の面材を設けると、外の縁部２５Ｓを引張りながら連結する際の微妙な力の調整が容易となり、他方内の縁部２５Ｕの雌面材９Ａは連続して形成されるため、レッグ部５の太さの調整代を充分に大きくとることができる点で好ましい。
【００３０】
図９、１０は更に他の実施形態を例示している。本形態では、レッグ部５を上下方向の丈寸法が略揃った筒状とすることにより、前身頃において、本体部２とレッグ部５との間に間隙１１を形成し、かつこの間隙１１を覆うレース地１２が本体部２から垂下して設けられている。なおレッグ部５の上縁は、レース地１２の下縁に重なって配置されている。このように、前身頃において、本体部２とレッグ部５とが分離して形成されるため、脚の上げ下げなどが楽に動作できるとともに圧迫感が軽減され、優れた装着性が得られる点で好ましい。
【００３１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３２】
【図１】本発明の一実施の形態を例示する正面図である。
【図２】その背面図である。
【図３】その側面図である。
【図４】その要部拡大図である。
【図５】その断面斜視図である。
【図６】その水平断面図である。
【図７】他の実施の態様を例示する斜視図である。
【図８】その異なる方向の斜視図である。
【図９】更に他の実施の態様を例示する斜視図である。
【図１０】その異なる方向の斜視図である。
【図１１】従来例の正面図である。
【符号の説明】
【００３３】
１      ガードル
２      本体部
３      使用者
４      両大腿部
５      レッグ部
６      補強部
６Ｆ    前の補強部
７      切れ目
８      連結手段
９      面材
９Ａ    雌面材
９Ｂ    雄面材
１０      面ファスナー
１１      間隙
１２      レース地
【図１】
2007023407.tif 000003
【図２】
2007023407.tif 000004
【図３】
2007023407.tif 000005
【図４】
2007023407.tif 000006
【図５】
2007023407.tif 000007
【図６】
2007023407.tif 000008
【図７】
2007023407.tif 000009
【図８】
2007023407.tif 000010
【図９】
2007023407.tif 000011
【図１０】
2007023407.tif 000012
【図１１】
2007023407.tif 000013